【手続補正書】
【提出日】平成17年2月21日(2005.2.21)
【手続補正１】
【補正対象書類名】特許請求の範囲
【補正対象項目名】全文
【補正方法】変更
【補正の内容】
【特許請求の範囲】
【請求項１】
画素がマトリクス状に配列された表示部と、
任意の周波数のクロックパルスを生成するクロックパルス生成手段と、
前記クロックパルスに基づいて、映像信号を複数の画素を単位として並列化処理するためのタイミングパルスであって、パルス幅およびパルス周期を任意に設定可能なタイミングパルスを生成するパルス生成手段と、
前記タイミングパルスに基づいて生成され、前記複数の画素ずつ並列に映像信号を書き込むための書き込みパルスと、前記表示部から供給され、前記書き込みパルスの基準となる基準パルスとの位相ずれ量を検出する検出手段と、
前記位相ずれ量が一定範囲に入るように前記タイミングパルスのタイミング調整を行うタイミング調整手段と
を有する表示装置。
【請求項２】
前記パルス生成手段は、
前記クロックパルスに対する前記タイミング信号の位相差を任意に設定可能である
請求項１記載の表示装置。
【請求項３】
前記検出手段は、
前記基準パルスの立ち上がりエッジおよび立ち下がりエッジの少なくとも一方を検出するエッジ検出手段を有する
請求項１記載の表示装置。
【請求項４】
前記エッジ検出手段は、
前記基準パルスの立ち上がりエッジおよび立ち下がりエッジの両方を検出し、これらエッジのどちらか一方の検出結果を出力する
請求項３記載の表示装置。
【請求項５】
前記検出手段は、
前記基準パルスの遅延量を求めるカウンタと、前記エッジ検出手段の検出出力をトリガとして前記カウンタのカウント値をデコードするデコーダとを有し、前記カウンタのリセット時刻を任意に設定可能である
請求項１記載の表示装置。
【請求項６】
前記タイミング調整手段は、
前記基準パルスのフィードバック処理をＯＮ／ＯＦＦさせる機能を有し、ＯＮ時には、ＯＦＦ時の前記書き込みパルスに対して、リセット時刻をオフセットさせる
請求項５記載の表示装置。
【請求項７】
画素がマトリクス状に配列された表示部と、
任意の周波数のクロックパルスを生成するクロックパルス生成手段と、
前記クロックパルスに基づいて、映像信号を複数の画素を単位として並列化処理するためのタイミングパルスであって、パルス幅およびパルス周期を任意に設定可能なタイミングパルスを生成するパルス生成手段と、
前記タイミングパルスに基づいて生成され、前記複数の画素ずつ並列に映像信号を書き込むための書き込みパルスと、前記表示部から供給され、前記書き込みパルスの基準となる基準パルスとの位相ずれ量を検出する検出手段と、
前記位相ずれ量が一定範囲に入るように前記タイミングパルスのタイミング調整を行うタイミング調整手段と
を有し、
前記検出手段と前記タイミング調整手段とを、前記表示部のうち前記基準パルスの出力部分に近接して配置する
表示装置。
【請求項８】
光源が発する光を、画素がマトリクス状に配列された表示部を通して、スクリーンに投射して表示する投射型表示装置であって、
任意の周波数のクロックパルスを生成するクロックパルス生成手段と、
前記クロックパルスに基づいて、映像信号を複数の画素を単位として並列化処理するためのタイミングパルスであって、パルス幅およびパルス周期を任意に設定可能なタイミングパルスを生成するパルス生成手段と、
前記タイミングパルスに基づいて生成され、前記複数の画素ずつ並列に映像信号を書き込むための書き込みパルスと、前記表示部から供給され、前記書き込みパルスの基準となる基準パルスとの位相ずれ量を検出する検出手段と、
前記位相ずれ量が一定範囲に入るように前記タイミングパルスのタイミング調整を行うタイミング調整手段と
を有する投射型表示装置。
【請求項９】
光源が発する光を、画素がマトリクス状に配列された表示部を通して、スクリーンに投射して表示する投射型表示装置であって、
映像信号を複数の画素を単位として並列化処理するためのタイミングパルスであって、パルス幅およびパルス周期を任意に設定可能なタイミングパルスを生成するパルス生成手段と、
前記タイミングパルスに基づいて生成され、前記複数の画素ずつ並列に映像信号を書き込むための書き込みパルスと、前記表示部から供給され、前記書き込みパルスの基準となる基準パルスとの位相ずれ量を検出する検出手段と、
前記位相ずれ量が一定範囲に入るように前記タイミングパルスのタイミング調整を行うタイミング調整手段と
を有し、
前記検出手段と前記タイミング調整手段とを、前記表示部のうち前記基準パルスの出力部分に近接して配置する
投射型表示装置。
【手続補正２】
【補正対象書類名】明細書
【補正対象項目名】００１２
【補正方法】変更
【補正の内容】
【００１２】
上記目的を達成するために、本発明の第１の観点は、画素がマトリクス状に配列された表示部と、任意の周波数のクロックパルスを生成するクロックパルス生成手段と、前記クロックパルスに基づいて、映像信号を複数の画素を単位として並列化処理するためのタイミングパルスであって、パルス幅およびパルス周期を任意に設定可能なタイミングパルスを生成するパルス生成手段と、前記タイミングパルスに基づいて生成され、前記複数の画素ずつ並列に映像信号を書き込むための書き込みパルスと、前記表示部から供給され、前記書き込みパルスの基準となる基準パルスとの位相ずれ量を検出する検出手段と、前記位相ずれ量が一定範囲に入るように前記タイミングパルスのタイミング調整を行うタイミング調整手段とを有する表示装置である。
【手続補正３】
【補正対象書類名】明細書
【補正対象項目名】００１３
【補正方法】変更
【補正の内容】
【００１３】
上記目的を達成するために、本発明の第２の観点は、画素がマトリクス状に配列された表示部と、任意の周波数のクロックパルスを生成するクロックパルス生成手段と、前記クロックパルスに基づいて、映像信号を複数の画素を単位として並列化処理するためのタイミングパルスであって、パルス幅およびパルス周期を任意に設定可能なタイミングパルスを生成するパルス生成手段と、前記タイミングパルスに基づいて生成され、前記複数の画素ずつ並列に映像信号を書き込むための書き込みパルスと、前記表示部から供給され、前記書き込みパルスの基準となる基準パルスとの位相ずれ量を検出する検出手段と、前記位相ずれ量が一定範囲に入るように前記タイミングパルスのタイミング調整を行うタイミング調整手段とを有し、前記検出手段と前記タイミング調整手段とを、前記表示部のうち前記基準パルスの出力部分に近接して配置する表示装置である。
【手続補正４】
【補正対象書類名】明細書
【補正対象項目名】００１４
【補正方法】変更
【補正の内容】
【００１４】
上記目的を達成するために、本発明の第３の観点は、光源が発する光を、画素がマトリクス状に配列された表示部を通して、スクリーンに投射して表示する投射型表示装置であって、任意の周波数のクロックパルスを生成するクロックパルス生成手段と、前記クロックパルスに基づいて、映像信号を複数の画素を単位として並列化処理するためのタイミングパルスであって、パルス幅およびパルス周期を任意に設定可能なタイミングパルスを生成するパルス生成手段と、前記タイミングパルスに基づいて生成され、前記複数の画素ずつ並列に映像信号を書き込むための書き込みパルスと、前記表示部から供給され、前記書き込みパルスの基準となる基準パルスとの位相ずれ量を検出する検出手段と、前記位相ずれ量が一定範囲に入るように前記タイミングパルスのタイミング調整を行うタイミング調整手段とを有する投射型表示装置である。
【手続補正５】
【補正対象書類名】明細書
【補正対象項目名】００１５
【補正方法】変更
【補正の内容】
【００１５】
本発明の第１の観点に係る表示装置によれば、クロックパルス生成手段は、任意の周波数のクロックパルスを生成する。パルス生成手段は、そのクロックパルスに基づいて、映像信号を表示部の複数の画素を単位として並列化処理するためのタイミングパルスであって、パルス幅およびパルス周期を任意に設定可能なタイミングパルスを生成する。検出手段は、そのタイミングパルスに基づいて生成され、前記複数の画素ずつ並列に映像信号を書き込むための書き込みパルスと、前記表示部から供給され、前記書き込みパルスの基準となる基準パルスとの位相ずれ量を検出する。そして、タイミング調整手段は、前記位相ずれ量が一定範囲に入るように前記タイミングパルスのタイミング調整を行う。